(57)【要約】【課題】  省エネモードなど装置の一部への電源供給を断った状態から復帰する際に給紙トレイ上に原稿がセット出来ない等の不具合を解消すること。【解決手段】  給紙トレイ上の原稿を繰り出す繰り出し手段と、この繰り出し手段で繰り出された原稿を案内する給紙経路と、この給紙経路を開放するために回動自在に設けられた給紙カバーと、該給紙カバーの開閉を検出する検出手段と、前記繰り出し手段を昇降させる駆動手段とを備えた構成において、前記検出手段の検出結果に応じて前記駆動手段への電源の供給を制御する制御手段を設ける。そして前記繰り出し手段は前記給紙トレイ上に原稿をセットするための上限位置と該給紙トレイ上の原稿の上面に接触する繰り出し位置との間で昇降自在に構成し、この繰り出し手段と前記駆動手段を駆動連結する駆動伝達手段を設け、前記駆動伝達手段は前記給紙カバーを開状態にすることによって前記繰り出し手段と前記駆動手段との駆動連結が解除されるように構成する。  【選択図】  図３
2005231873.tif 000002
【特許請求の範囲】
【請求項１】
給紙トレイ上の原稿を繰り出す繰り出し手段と、
前記繰り出し手段で繰り出された原稿を案内する給紙経路と、
この給紙経路を開放するために回動自在に設けられた給紙カバーと、
該給紙カバーの開閉を検出する検出手段と、
前記繰り出し手段を昇降させる駆動手段とを備えた原稿読取装置において、
前記検出手段の検出結果に応じて前記駆動手段への電源の供給を制御する制御手段を設けたことを特徴とする原稿読取装置。
【請求項２】
給紙トレイ上の原稿を繰り出す昇降自在な繰り出し手段と、
前記繰り出し手段で繰り出された原稿を案内する給紙経路と、
この給紙経路を開放するために回動自在に設けられた給紙カバーと、
該給紙カバーの開閉を検出する検出手段と、
前記繰り出し手段を昇降させる駆動手段とを備えた原稿読取装置において、
前記駆動手段への電源の供給を接続、切断するためのスイッチ手段を設け、
前記検出手段の検出結果に応じて前記駆動手段への電流を切断状態から供給状態に復帰させるように前記スイッチ手段を制御することを特徴とする原稿読取装置。
【請求項３】
前記繰り出し手段は前記給紙トレイ上に原稿をセットするための上限位置と該給紙トレイ上の原稿の上面に接触する繰り出し位置に昇降自在に構成されていることを特徴とする請求項１または請求項２に記載の原稿読取装置。
【請求項４】
前記繰り出し手段と前記駆動手段を駆動連結する駆動伝達手段を設け、前記駆動伝達手段は前記給紙カバーを開状態にすることによって前記繰り出し手段と前記駆動手段との駆動連結が解除されることを特徴とする請求項１または請求項２に記載の原稿読取装置。
【請求項５】
前記繰り出し手段は前記駆動手段への電源供給が遮断された状態で前記駆動伝達手段の負荷により前記上限位置に保持されることを特徴とする請求項４記載の原稿読取装置。
【請求項６】
前記駆動手段は前記スイッチ手段の制御により前記駆動手段への電流を切断状態から供給状態に復帰させた後に前記繰り出し手段を上昇させることを特徴とする請求項２記載の原稿読取装置。
【請求項７】
給紙トレイ上の原稿を所定位置に搬送する原稿搬送手段と、
この原稿搬送手段にて所定位置に搬送される原稿の画像を読み取る原稿読取手段と、
該原稿読取手段にて読み取られた原稿画像に基づき記録シートに画像を形成する画像形成手段とを備えた画像処理システム装置において、
給紙トレイ上の原稿を繰り出す繰り出し手段と、
前記繰り出し手段で繰り出された原稿を案内する給紙経路と、
この給紙経路を開放するために回動自在に設けられた給紙カバーと、
該給紙カバーの開閉を検出する検出手段と、
前記繰り出し手段を昇降させる駆動手段と、
前記検出手段の検出結果に応じて前記駆動手段への電源の供給を制御する制御手段を設けたことを特徴とする画像処理システム装置。
【発明の詳細な説明】
【技術分野】
【０００１】
本発明は、複写機、プリンタ等の画像形成装置に使用される原稿搬送装置が搭載された原稿読取装置、及び画像形成システムに関し、詳しくは原稿搬送装置または原稿読取装置に供給される電源制御に関するものである。
【背景技術】
【０００２】
従来、原稿読取装置本体に搭載される原稿搬送装置は、原稿トレイ上にセットされた原稿を一枚ずつ分離して画像読取部に向けて原稿を給紙するための給紙部と、給紙部から給紙された原稿を原稿読取装置の画像読取部の所定位置に供給し、画像読み取り後に画像読取部から排出する搬送部と、画像読取部から排出された原稿を排紙トレイに排紙する排紙部からなる。
【０００３】
原稿搬送装置の給紙部は、給紙トレイから原稿を繰り出す昇降自在な繰り出しローラと、繰り出しローラから繰り出される原稿を１枚に分離するための給紙ローラ及び分離部材が設けられている。そして、繰り出しローラ及び給紙ローラは、開閉自在に構成された給紙カバーに取り付けられており、給紙モータに複数のギヤ等の駆動伝達手段を介して駆動連結されている。
【０００４】
この繰り出しローラは給紙モータの正逆回転によって、原稿がセット可能な上限位置と原稿を繰り出す繰り出し位置に昇降するように構成されており、給紙モータが停止中であっても駆動伝達手段及び給紙モータの連結負荷によって原稿セット位置に保持される（例えば、特許文献１）。
【０００５】
また、上述したような従来の原稿搬送装置は、原稿搬送装置内の各ローラを駆動するためのモータ等のアクチュエータに供給される駆動用の電源と原稿搬送装置内の各センサ、及びマイクロプロセッサ等に供給される制御用の電源との２系統に分かれて原稿読取装置等の本体装置から電源を供給されている。
【０００６】
そして、省エネモード時には、駆動用の電源を切断することによって、無駄な電力の消費を抑えている（例えば、特許文献２）。
【特許文献１】特開２００１−３５４３２８号公報
【特許文献２】特開２０００−２８９８８５号公報
【発明の開示】
【発明が解決しようとする課題】
【０００７】
しかしながら、上述した従来の原稿読取装置等の本体装置から電源供給を受けている原稿搬送装置において、省エネモード時に以下のような問題点があった。
【０００８】
原稿搬送装置の繰り出しローラは、給紙カバーが閉状態で駆動伝達手段を介して給紙モータと連結されており、この連結負荷によって原稿セット位置に保持されるように構成されているため、給紙カバーを一度開状態にすると駆動伝達手段の連結が解除され、給紙トレイの原稿載置面に当接する位置まで下降する。
【０００９】
このとき、通常であれば給紙カバーの開閉を検出するカバーオープン検出手段の検出信号に基づき、給紙モータを駆動して繰り出しローラを原稿がセット可能な上限位置まで移動させるように制御するが、省エネモード時においては給紙モータの供給電源が切断されているため、繰り出しローラを上限位置まで移動させることができず、原稿が給紙トレイ上にセットできないとの問題が生じる。
【００１０】
本発明は、上記のような問題点を解決するためになされたものであり、省エネモードなど装置の一部への電源供給を断った状態から復帰する際に給紙トレイ上に原稿がセット出来ない等の不具合を解消することをその課題としている。
【課題を解決するための手段】
【００１１】
本発明は上記課題を解決するため次の構成を採用したものである。まず、給紙トレイ上の原稿を繰り出す繰り出し手段と、この繰り出し手段で繰り出された原稿を案内する給紙経路と、この給紙経路を開放するために回動自在に設けられた給紙カバーと、該給紙カバーの開閉を検出する検出手段と、前記繰り出し手段を昇降させる駆動手段とを備えた構成において、前記検出手段の検出結果に応じて前記駆動手段への電源の供給を制御する制御手段を設ける。そして前記繰り出し手段は前記給紙トレイ上に原稿をセットするための上限位置と該給紙トレイ上の原稿の上面に接触する繰り出し位置との間で昇降自在に構成し、
この繰り出し手段と前記駆動手段を駆動連結する駆動伝達手段を設け、前記駆動伝達手段は前記給紙カバーを開状態にすることによって前記繰り出し手段と前記駆動手段との駆動連結が解除されるように構成する。そして、前記駆動手段は前記スイッチ手段の制御により前記駆動手段への電流を切断状態から供給状態に復帰させた後に前記繰り出し手段を上昇させるように構成する。
【発明の効果】
【００１２】
本発明は、上述の構成によって省エネモードで駆動手段への電源を遮断した後、電源を供給して復帰する際に給紙カバーが開放状態であるか閉状態であるかを検出手段で検出し、この検出手段の検出結果に基づいて、駆動手段への電源の供給を制御するようにしたので給紙カバーが閉状態の時、繰り出し手段を昇降させ、給紙カバーが開放状態の時には駆動手段への電源の供給を断つことによって、繰り出し手段を正常な位置に復帰させることが可能である。
【発明を実施するための最良の形態】
【００１３】
図１は、本実施例による原稿読取装置を備える画像形成装置の基本構成を示す断面図であり、同図において、１は画像形成装置であり、画像形成装置１の上方には、読み取られる原稿が載せられるプラテンとしての第１、第２のプラテンガラス１０ａ、１０ｂ、光源７１、複数のミラー７２、レンズ７３、光電変換手段としてのＣＣＤ７４を備える原稿読取装置４が備えられている。さらに、原稿読取装置４には第１のプラテンガラス１０ａに対して開閉自在に設けられ、原稿を第２のプラテンガラス１０ｂに給送する原稿搬送装置２が搭載されている。また、画像形成装置１の側部には排出される画像形成済みのシートを仕分けするシート処理装置３等が備えられている。
【００１４】
画像形成装置１は、給紙部６、画像形成部５からなり、給紙部６は記録用のシートを収納して画像形成装置１に着脱自在な複数のカセット５１を有している。
【００１５】
画像形成部５には、感光体ドラム６１を設けられ、感光体ドラム６１周囲には、ドラム表面に帯電処理を行う帯電チャージャ６３、画像情報をドラム上にレーザ光で照射する露光手段６４、ドラム上の静電潜像を可視像化する現像手段６６、ドラム上のトナー像をシートに転写する転写用帯電器６５、ドラム上の残留トナーを除去回収するクリーニング手段６７等が配置されている。更に、画像転写後のシートに対して定着処理を施す定着手段６２が、それら電子写真プロセス手段のシート搬送下流側に設けられている。
【００１６】
この画像形成装置１は原稿搬送装置２で読み取られた原稿画像を記録シートに印字して出力する。以下にその動作について説明する。
【００１７】
画像形成装置１に設けられている操作パネル（図示せず）にてコピー開始のボタンが押されると、選択されたカセットからシートが給送される。一方、原稿読取装置４では、第１のプラテンガラス１０ａに載置されている原稿、または原稿搬送装置２にて第２のプラテンガラス１０ｂに送られた原稿画像に光源７１からの光が照射し、原稿画像に照射した照射光を複数のミラー７２を介してレンズ７３にてＣＣＤ７４に導く。これにより、ＣＣＤ７４に入射した光は光電変換され、画像データとして原稿画像が読取られる。
【００１８】
そして、画像処理された画像データに基づいて、露光手段６４のレーザーダイオード（図示せず）を駆動し、レーザーダイオードからのレーザー光をポリゴンミラーを介して感光体ドラム６１に照射し、感光体ドラム６１上に静電潜像を形成する。
【００１９】
給紙部６から給送されたシートは、タイミングが合わされて画像形成部５へ送られる。画像形成部５では、感光ドラム６１のトナー像が、送られてきたシートに転写用帯電器６５によって転写され、その後に定着手段６２によりシートに転写画像が永久定着される。画像が定着されたシートは、画像形成装置１から排出される。
【００２０】
そして、画像形成装置１から排出されたシートは、シート後処理装置３に送られてステープル、パンチ、紙折り等の所定の後処理が行わせた後に機外に排出されることとなる。
【００２１】
図２は、原稿搬送装置の断面図であり、図３は、原稿搬送装置の給紙カバーを開状態とした図である。この図２、図３に基づき原稿搬送装置を説明する。
【００２２】
原稿搬送装置２は、複数枚の原稿を載置可能な給紙トレイ１５と、給紙トレイ１５上の原稿を１枚ずつ分離して第２のプラテンガラス１０ｂに向けて給送する給紙部１１と、原稿を第２のプラテンガラス１０ｂ上面に沿って通過させる搬送部１２と、第２のプラテンガラス１０ｂ上面を通過した原稿を受け取って排出する排紙部と、この排紙部１３から排出される画像を読取られた原稿を収納する排紙トレイ１６と、を備えている。さらに、この原稿搬送装置２は、第２のプラテンガラス１０ｂ上面から排出される原稿の排紙部１３でスイッチバックさせ、再び給紙部１１に送り込み、第２のプラテンガラス１０ｂ上面に再給送させるスイッチバック部１４と、を具備している。ここで、原稿トレイ１５は、傾斜して排紙トレイ１６の上方に空間を確保して配置されている。
【００２３】
給紙トレイ１５に載置された原稿は、その側部を規制するサイドガイド１７で規制され、ストッパ３０に先端を規制されるようになっている。また、給紙トレイ１５は、原稿給紙方向の先端側に設けられた支点１５ａによって回動自在に取り付けられている。
【００２４】
ＡＤＦの給紙部１１は、下降して給紙トレイ１５上の原稿の最上面に接し、原稿を繰り出す昇降自在な繰り出しローラ１８、繰り出しローラ１８で繰り出された原稿を給紙する給紙ローラ１９と最上位原稿を１枚のみを通過して２枚目以降の原稿の給紙を阻止する分離パット２０で構成された分離手段、この分離手段で１枚に分離された原稿の先端を突き当てて整合した後に下流側に送るレジストローラ対２１で構成され、原稿は給紙路２５に沿って給紙される。
【００２５】
給紙路２５は、図３に示すように上ガイド板２５ａおよび下ガイド２５ｂが対向して形成されている。
【００２６】
上ガイド板２５ａは、外装カバー４０に回動支点４１ａを介して回動可能に支持された給紙カバー４１に一体に取り付けられており、給紙カバー４１と一体に反時計廻りに回動されることにより給紙路２５を開閉することができるようになっている。なお、給紙カバー４１には繰り出しローラ１８や給紙ローラ１９、レジストローラ対２１の従動ローラ２１ｂが取り付けられており、一体に回動するようになっている。これにより、原稿トレイ１５の給紙口から第２のプラテンガラス１０ｂの手前までの給紙路２５の全てが連続して露出するように開放され、容易にジャム原稿を取り除くことができる構成となっている。
【００２７】
ここで、給紙カバー４１の開閉状態は、原稿搬送装置２の奥側の外装カバー４０内に配置された給紙カバー開閉検出手段としての給紙カバー開閉スイッチＳ６にて検出される。この給紙カバー開閉スイッチＳ６は、給紙カバー４１を閉状態にすると給紙カバー４１に形成された操作体としての突起４１ｂが給紙カバー開閉スイッチＳ６の作動体としてのレバー及び押ボタンを押すことで、給紙カバー４１が閉状態であることが検出する。また、給紙カバー４１を開状態にすると突起４１ｂが給紙カバー開閉スイッチＳ６のレバーから離れ、押ボタンが突出状態に復帰して給紙カバー４１が閉状態であることを検出するように構成されている。
【００２８】
なお、本実施例では、給紙カバー開閉検出手段としてスイッチ式の検出器を採用したが、給紙カバー開閉検出手段として光学系のセンサ等を用いて給紙カバーの開閉を検出するようにしてもよい。
【００２９】
搬送部１２は、第２のプラテンガラス１０ｂの上流側に第２のプラテンガラス１０ｂに原稿を供給する一対の搬入ローラ２２、下流側に第２のプラテンガラス１０ｂから原稿を排出する一対の搬出ローラ２３を備えており、給紙部１１からの原稿を搬送路２６に沿って搬送する。
【００３０】
排紙部１３とスイッチバック部１４は排紙トレイ１６側の一部の経路を共有しており、原稿を排紙トレイ１６に排紙する排紙ローラ対２４が設けられている。
【００３１】
この排紙ローラ対２４は、後述するが原稿の両面画像を読取るための両面モードの際に原稿の後端側をニップした状態で逆回転して原稿をスイッチバックして給紙部１１に送るように制御され、さらに排紙ローラ対２４はスイッチバック部１４から給紙部１１及び搬送部１２を介して循環される原稿の先後端がすれ違う際に支障なく搬送できるように排紙駆動ローラ２４ａから排紙従動ローラ２４ｂが離間するように構成されている。
【００３２】
また、排紙部１３とスイッチバック部１４の共有部には、原稿を給紙部１１に案内するフラッパ３０が設けられている。このフラッパ３０は、常時付勢バネ（図示せず）で下方に付勢されており、原稿が排紙路２７に沿って排紙ローラ対２４に送られる際には、排紙される原稿の先端により上方に押し上がり原稿の通過を許容し、排紙ローラ対２４にて原稿をスイッチバックする際には下方に位置して排紙路２７を塞ぎ、循環路２８に原稿を案内するように構成されている。
【００３３】
循環路２８と給紙路２５とはレジストローラ対２１のニップ点で合流するように構成されており、この合流位置にはレジストローラ対２１のニップ点に原稿を誘込むマイラ２８ｃが延設されている。
【００３４】
次に、各ローラの駆動構成について説明すると、本実施例の原稿搬送装置では、正逆転自在な給紙モータＭ１と搬送モータＭ２で各ローラを駆動するように構成されている。
【００３５】
給紙モータＭ１の駆動伝達系は、図４に示すように、先ず給紙モータＭ１を正転駆動するとその駆動がプーリＰ１６からプーリＰ３６にタイミングベルトＴ１６を介して伝達され、プーリＰ３６の駆動はギヤＺ１７、ギヤＺ１９、給紙ローラ１９の駆動軸に取り付けられたギヤＺ１８の順に伝達されて、給紙ローラ１９が原稿を給紙する方向に回転する。給紙ローラ１９の駆動軸には、プ−リＰ１８が設けられており、繰り出しローラ１８の軸に設けられたプーリＰ１１との間に張架したタイミングベルトＴ２を介して繰り出しローラ１８にも駆動が伝達される。また、給紙ローラ１９の駆動軸には、繰り出しローラ１８を支持する昇降アーム１８ａ、１８ｂの一端側が取り付けられており、この駆動軸の給紙方向の回転（給紙モータＭ１の正転駆動）により昇降アームが回動して繰り出しローラ１８が下降し、繰り出しローラが原稿に接触すると、バネクラッチＡ、バネクラッチＢの作用により昇降アーム１８ａ、１８ｂに対して給紙ローラ１９の駆動軸は空転するように構成している。このとき、レジスト駆動ローラ２１ａは、その駆動軸に設けられたプーリＰ２８と、プ−リＰ３６と同軸に設けられたプーリＰ２２に張架したタイミングベルトＴ３により連結されているが、プーリＰ２８内に設けられたワンウエイクラッチＯＷ１の作用で回転しない。
【００３６】
給紙モータＭ１の逆転駆動は、プーリＰ１６からプーリＰ３６にタイミングベルトＴ１６を介して伝達され、プーリＰ３６と同軸に設けられたプーリＰ２２からタイミングベルトＴ３を介してレジスト駆動ローラ２１ａの軸に取り付けられたプーリＰ２８に伝達され、レジスト駆動ローラ２１ａを給紙方向に回転させる。このとき、給紙ローラ１９の駆動軸にも給紙モータＭ１の逆転駆動が伝達され、昇降アーム１８ａを反時計回りに回動させることにより繰り出しローラを上昇させるが、給紙ローラ１９はその内部に設けられたワンウエイクラッチＷＯ２の作用で回転しない。上昇された昇降アームは規制部材（図示せず）に当接し、バネクラッチＣの作用により昇降アーム１８ａに対して給紙ローラ１９の駆動軸は空転するように構成している。
【００３７】
ここで上昇された昇降アーム１８ａが上昇した状態で給紙モータＭ１の駆動を停止しても昇降アーム１８は停止状態における給紙モータＭ１の負荷及び駆動系の負荷によって上昇した位置に保持されるように構成されている。
【００３８】
このような構成において、給紙ローラ１９の駆動軸に取り付けられたギヤＺ１８は、繰り出しローラ１８、給紙ローラ１９とともに、給紙カバー４１に配設されて一体に回動するようになっており、図５に示すように給紙カバー４１が回動して給紙路２５を開放することにより原稿搬送装置の側板（図示せず）に取り付けられたギヤＺ１９から離間し、閉鎖することによりギヤＺ１９と歯合するように構成されている。
【００３９】
つまり、給紙カバー４１の開動作を行わせると、繰り出しローラ１８の上昇位置での保持が解除されて下降する。そして、繰り出しローラ１８が下降した状態で給紙カバー４１の閉動作が行われるので、繰り出しローラ１８は下降した状態で、ギヤＺ１８はギヤＺ１９に歯合することとなり、繰り出しローラ１８は下降位置に保持されることとなる。
【００４０】
次に、搬送モータＭ２は、複数のギヤ、プーリ、タイミングベルトを介して搬入（駆動）ローラ２２、搬出（駆動）ローラ２３を正回転し、また排紙駆動ローラ２４ａを正回転または逆回転する。
【００４１】
また、前述したように排紙ローラ対２４は離間自在に構成されおり、その駆動源としての圧接ソレノイドＳＯＬが設けられている。この圧接ソレノイドＳＯＬ（図示せず）を励磁（ＯＮ）することにより排紙従動ローラ２４ｂを排紙駆動ローラ２４ａに圧接する位置に移動させ、励磁を解除（ＯＦＦ）することにより排紙従動ローラ２４ｂを排紙駆動ローラ２４ａから離れる方向に付勢する付勢バネの作用で排紙従動ローラ２４ｂを排紙駆動ローラ２４ａから離間する位置に移動させるように構成されている。
【００４２】
ここで、原稿搬送装置２には、図２のように給紙トレイ１５には給紙トレイ１５上に原稿が載置されたことを検出するエンプティセンサＳ１が設けられ、給紙路２５には給紙される原稿の端部を検知するレジストセンサＳ２が設けられている。さらに、第２のプラテンガラス１０ｂの上流側にはリードセンサＳ３、排紙ローラ対２４の手前には排出センサＳ４がそれぞれ設けられており、これらのセンサは送られる原稿の端部を検知する。
【００４３】
上記の各センサＳ１〜Ｓ４は、図６の制御ブロック図に示すように原稿の搬送を制御するためのＣＰＵ１００等を含む制御手段としての制御基板に接続されており、各センサからの検知信号に基づいて、上述した各モータＭ１、Ｍ２及び各ソレイドＳＯＬ１が制御され原稿の送り動作が実行される。
【００４４】
なお、給紙トレイ１５には、センサＳ５が設けられており、このセンサＳ５の原稿の検出状態（ＯＮ−ＯＦＦ状態）により原稿トレイ１５上に載置された原稿の長さが検出される。また、給紙トレイ１５上のサイドガイド１７の移動量によって出力が変化するボリュームＶＲから原稿の幅を検出する。この原稿の長さと原稿の幅の検出結果に基づき原稿サイズを判断する。
【００４５】
次に、原稿搬送装置の動作について説明する。
【００４６】
本実施例の原稿搬送装置は、原稿の片面のみを読取る片面読取りモードと原稿の両面を読取る両面読取りモードを有している。
【００４７】
先ず、片面読取りモードにおける動作は、エンプティセンサＳ１で給紙トレイ１５上に原稿が載置されたことが検知されると給紙モータＭ１が正転駆動され、繰り出しローラ１８によって原稿が繰り出される。繰り出された原稿は給紙ローラ１９と分離パッド２０からなる分離手段によって１枚に分離されて下流側に給紙される。そして、レジストセンサＳ２が原稿の先端を検知すると、その検知から所定時間後に給紙モータＭ１が一旦停止される。このとき、原稿の先端はレジストローラ対２１のニップ部に当て付けられて整合されている。そして、この一旦停止後、給紙モータＭ１は逆転駆動されると共に、搬送モータＭ２が駆動され、さらに圧接ソレノイドＳＯＬが励磁される。これにより、レジストローラ対２１、搬入ローラ２２が駆動されて第２のプラテンガラス１０ｂ上に供給される。そして、第２のプラテンガラス１０ｂで原稿の表面（片面）は読取手段によって読取られる。その後、読取られた原稿は搬出ローラ２３に案内され、排紙ローラ対２４によって排紙トレイ１６上に排出される。
【００４８】
次に、両面読取りモードについて説明すると、給紙トレイ１５上の原稿が第２のプラテンガラス１０ｂに供給され、表面（片面）を読取られた後に搬出ローラ２３、排紙ローラ対２４に送られるまでは、片面読取りモードと同様である。
【００４９】
その後、両面読取りモードでは、再給紙動作が実行される。
【００５０】
再給紙動作では、排紙ローラ対２４に送られた原稿の後端が排紙センサＳ４にて検出されると搬送モータＭ２の駆動を停止する。このとき、原稿はその先端側が排紙トレイ１６上に排紙され、後端側が排紙ローラ対２４にニップされて停止された状態となっている。
【００５１】
その後、搬送モータＭ２を逆転駆動すると、排紙ローラ対２４は逆回転し、原稿はスイッチバックされ、原稿の通過に伴って排紙路２７を塞ぐ位置に移動したフラッパ３０の原稿案内面に沿ってスイッチバック路２８を給紙部１１方向に送られる。そして、原稿の先端が再びレジストローラ対２１のニップ部で突き当たって整合される。そして、原稿を再給紙するために給紙モータＭ１を逆転駆動し、レジストローラ対２１に原稿の先端が確実にニップする時間経過後に、圧接ソレノイドＳＯＬの励磁を解除して排紙従動ローラ２４ｂを排紙駆動ローラ２４ａから離間させるとともに、搬送モータＭ２を正転駆動する。これにより、原稿は給紙路２５に沿って反転されて給紙され、搬入ローラ対２２によって再び第２のプラテンガラス１０ｂに供給される。そして、表面と同様に裏面が第２のプラテンガラス１０ｂで読取手段によって読取られる。その後、読取られた原稿は搬出ローラ２３に案内され、排紙ローラ対２４に導かれる。
【００５２】
このとき、排紙トレイ１６に送られる原稿の先端側と再給紙される原稿の後端側が排紙ローラ対２４を含む排紙路２７と循環路２８の共通部ですれ違うこととなるが、排紙ローラ対２４が離間した状態となっているため支障なく搬送ができる。
【００５３】
その後、レジストセンサＳ２が原稿の後端を検知すると、圧接ソレノイドＳＯＬが励磁されて排紙ローラ対２４が圧接される。
【００５４】
排紙センサＳ４が原稿の後端を検知すると、搬送モータＭ２の駆動を停止する。そして、原稿は排紙トレイ１６に頁順を揃えて排紙するために、再び再給紙動作を実行して原稿を第２のプラテンガラス１０ｂ上を介して排紙ローラ対２４に案内する。そして、排紙ローラ対２４によって原稿は排紙トレイ１６に排出される。なお、ここでは原稿の読み取りを行わない。
【００５５】
図６の制御ブロック図に示すように制御部は、ＣＰＵ１００、ＲＯＭ１０１、ＲＡＭ１０２等の記憶手段を中心に構成されている。
【００５６】
ＲＯＭ１０１には、原稿搬送装置を制御するための制御プログラムが予め記憶されており、その制御プログラムをＣＰＵ１００で実行して原稿搬送装置を動作する。
【００５７】
また、各種センサＳ１〜Ｓ４、及び給紙カバー開閉スイッチＳ６、ＡＤＦ開閉スイッチＳ７の状態は、それぞれの入力回路からＣＰＵ１００に入力され、この入力信号によってＣＰＵ１００は各モータ、ソレノイドの駆動回路に制御信号を出力することで各モータ、ソレノイドを制御している。
【００５８】
原稿搬送装置は、シリアルインターフェース入出力回路１０３を介して原稿読取装置４との間で情報データの通信を行っており、受信データとしては、原稿読取装置４からの原稿給紙／交換／排紙の各指令信号等があり、さらに送信データとしては、原稿給紙／交換／排紙の各動作完了信号、検知した原稿サイズデータ、各種センサ、スイッチの検出情報データ等がある。
【００５９】
さらに、原稿搬送装置の電源は、各モータやソレノイド等を制御するための制御用回路に供給されるロジック系電源と各モータ、ソレノイドの駆動用回路に供給される駆動系電源で構成されている。
【００６０】
さらに、１０４は駆動系電源制御回路（電源制御手段）であり、ＣＰＵ１００からの信号によって駆動系電源をオン、オフ（通電、遮断）制御を可能とする。
【００６１】
また、ＡＤＦ開閉スイッチＳ７は駆動系電源を遮断するインターロックスイッチとしての機能し、その電源の通電状態によって原稿搬送装置の開閉を検出する検出回路にて原稿搬送装置の開閉が検出される。つまり、駆動系電源制御回路１０４からの駆動系電源はＡＤＦ開閉スイッチＳ７を介して各モータ、ソレノイドの駆動用回路に供給される。
【００６２】
ここで、原稿搬送装置にて搬送される最終原稿が排紙トレイ１６に排出が完了した信号を受けた後、所定時間（５分程）内に所定の条件が生じない場合に省エネモードが動作するように構成されている。
【００６３】
この省エネモードについて詳しく説明する。図７は省エネモードの起動動作を示すフローチャートであり、図８は省エネモードの解除動作を示すフローチャートである。
【００６４】
先ず、最終原稿が排紙トレイ１６に排出されたことが確認される（ＳＴ１）と、給紙カバー４１が閉状態であること、原稿搬送装置２が閉状態であること、エンプティセンサＳ１が原稿を検出していないこと、原稿読取装置４から給紙指令がないこと、を確認する（ＳＴ２〜ＳＴ５）。そして、これらの全て条件が満たされた場合には、設定された時間を計るためにタイマー（計数手段）ＴＭをスタートする（ＳＴ６）。
【００６５】
そして、ＳＴ７で給紙タイマーＴＭが設定された所定値（時間）に達するまでの間、上記条件の全てが満足しているか否か監視し、設定された所定値に達したならば、駆動系制御回路に電源ＯＦＦ信号を出力して駆動系電源をＯＦＦ（遮断）し、モータ等の駆動回路への電源の供給を断つようにする（ＳＴ８）。これにより、原稿搬送装置はスタンバイ状態となり、無駄な消費電力が抑えられる。
【００６６】
そして、タイマーＴＭをリセットして省エネモード起動動作を終了する（ＳＴ９）。
【００６７】
また、上記の条件で給紙カバー４１が開状態となった場合、及び原稿搬送装置２が開状態になった場合は、給紙カバー４１及び原稿搬送装置２が開状態になるまで待って、次のステップに移行し、エンプティセンサＳ１が原稿を検出した場合、及び原稿読取装置４から給紙指令を受信した場合は、省エネモードに移行せずに処理を終了する。
【００６８】
つまり、ここではエンプティセンサＳ１のＯＦＦ状態、給紙カバー４１の閉状態、原稿搬送装置２の閉状態、原稿読取装置４から給紙指令が受信されていない状態を確認し、それらの状態が所定時間の間継続した場合に省エネモードに自動的に移行するように制御される。
【００６９】
次に、省エネモードの解除動作について、図８に基づき説明すると、省エネモード中にエンプティセンサＳ１、及び給紙カバー開閉スイッチＳ７の出力を常時監視し（ＳＴ１１〜ＳＴ１２）、エンプティセンサＳ１が原稿を検出するか、または給紙カバー開閉スイッチＳ７が給紙カバー４１の開閉（閉状態から開状態となり、再び閉状態となること）を検出すると、駆動系電源制御回路１０４をオン（通電）状態として駆動用の各回路に電源を供給する（ＳＴ１３）。そして、給紙モータを所定時間逆回転させ、繰り出しローラを原稿セット位置に上昇させるように制御する（ＳＴ１４）。
【００７０】
これによって、給紙モータの駆動伝達系の負荷で上昇位置に保持されていた繰り出しローラ１８が、給紙カバー４１の開閉にて一度給紙モータＭ１の駆動系のギヤＺ１８とギヤＺ１９が離間して下降した繰り出しローラ１８を支障なく原稿セット位置に上昇させることができるため、省エネモード中に給紙カバー４１を開閉しても繰り出しローラ１８が原稿のセットを妨げることなくなる。
【００７１】
なお、エンプティセンサＳ１で原稿を検出で省エネモードが解除された場合は、繰り出しローラ１８は原稿セット位置に上昇した状態になっているが、前述したように繰り出しローラ１８のトルクリミッタＡ、Ｂの作用で給紙モータＭ１を逆転しても繰り出しローラ１８は上昇しない。
【００７２】
なお、上記実施例では、電源制御回路１０４をオンして後に駆動用の各回路に電源を供給した後に、給紙モータＭ１を所定時間逆回転させて繰り出しローラ１８を原稿セット位置に上昇させたが、一般的なＡＤＦにおいて、初期動作時に給紙モータＭ１を所定時間逆転して繰り出しローラ１８を原稿セット位置に移動する動作を行うことに鑑みて、電源制御回路１０４をオンして駆動用の各回路に電源を供給した後に、原稿読取装置４に省エネモードを解除したことを通知する信号を送信し、この解除信号を受けた原稿読取装置４からのリセット信号にてＡＤＦを初期化してもよい。このようにすることによって、省エネモード解除時には必ずＡＤＦのＣＰＵがリセットされて初期化動作を行うので、給紙モータを所定時間逆転して繰り出しローラ１８を原稿セット位置に移動することができる。
【００７３】
次に、本発明に係る第３の実施例を説明する。
【００７４】
上記実施例１では原稿搬送装置２が単独で省エネモードの動作を行うようにしたが、この第３の実施例では、図９のブロック図に示すように原稿読取装置４に駆動系電源制御回路２０４を設け、この駆動系電源制御回路２０４を原稿読取装置４側のＣＰＵ２００でオン、オフ（通電、遮断）することで原稿搬送装置２への電源の供給を制御する。
【００７５】
なお、図９に示す以外の構成については、図６に示す構成と同様であるため、ここでは省略する。
【００７６】
図１０は実施例３の省エネモードの起動動作を示すフローチャートであり、図１１は省エネモードの解除動作を示すフローチャートある。
【００７７】
この図１０、図１１に基づき省エネモードの起動、解除動作について説明すると、先ず最終記録紙が機外に排紙されたことが確認される（ＳＴ２１）と、原稿読取装置４のＣＰＵ２００は、原稿搬送装置２からの給紙カバー開閉信号、ＡＤＦ開閉信号、及びエンプティセンサ原稿検出信号を受信しているか否か確認する（ＳＴ２２〜ＳＴ２４）。これらの信号の全てを受信していなければ、コピー開始ボタンを含む操作パネルが操作されていないか確認し（ＳＴ２５）、操作されていなければ、設定された時間を計るためにタイマー（計数手段）ＴＭをスタートする（ＳＴ２６）。
【００７８】
そして、ＳＴ２７で給紙タイマーＴＭが設定された所定値（時間）に達するまでの間、原稿搬送装置２から給紙カバー開閉信号、ＡＤＦ開閉信号、及びエンプティセンサ原稿検出信号を受信せず、また操作パネル（図示せず）が操作されなければ、駆動系電源制御回路２０４に電源オフ信号を出力して原稿搬送装置２と原稿読取装置４の駆動系電源をオフ（遮断）する（ＳＴ２８）。最後にタイマーＴＭをリセットして省エネモード起動動作を終了する（ＳＴ２９）。
【００７９】
これにより、原稿読取装置４と原稿搬送装置２はスタンバイ状態となり、消費電力が大幅に抑えられる。
【００８０】
また、給紙カバー開閉信号、ＡＤＦ開閉信号を受信した場合は、給紙カバー４１及び原稿搬送装置２が開状態になるまで待って次のスッテプに移行し、エンプティセンサ原稿検出信号を受信した場合、及び操作パネルが操作された場合は、省エネモードに移行せずに処理を終了する。
【００８１】
なお、ここで上記した給紙カバー開閉信号とは給紙カバー４１が閉状態から開状態になったことを示す信号であり、ＡＤＦ開閉信号とは原稿搬送装置２が閉状態から開状態になったことを示す信号である。また、エンプティセンサ原稿検出信号とは、給紙トレイ１５上に原稿が載置されたことを示す信号である。
【００８２】
省エネモードの解除動作は図１１に示すように、省エネモード中にエンプティセンサ原稿検出信号、及び給紙カバー開閉信号による情報を常時監視し（ＳＴ３１〜ＳＴ３２）、エンプティセンサ原稿検出信号が受信するか、または給紙カバー開閉信号を受信すると、駆動系電源制御回路２０４をオン（通電）状態として駆動用の各回路に電源を供給する（ＳＴ３３）。
【００８３】
そして、原稿読取装置４のＣＰＵ２００から原稿搬送装置２に繰り出しローラ１８を上昇させる指示信号が送信される（ＳＴ３４）。これを受けて原稿搬送装置２のＣＰＵ１００は給紙モータＭ１を所定時間逆転させ、繰り出しローラ１８を原稿セット位置に上昇させる。
【００８４】
これによって、省エネモード中に給紙カバー４１を開閉しても支障なく原稿をセットすることが可能となり、さらに原稿読取装置２の駆動系電源をオフすることが可能となるので、大幅に電力を低減することができる。
【００８５】
さらに、実施例４について説明する。
【００８６】
この実施例４では、図１２のブロック図に示すように原稿読取装置４に駆動系電源制御回路３０４とロジック系電源制御回路３０６を設け、駆動系電源制御回路３０４によって原稿搬送装置２及び原稿読取装置４の駆動系電源、ロジック系電源制御回路３０６によって原稿読取装置４のロジック系電源を制御するようにし、原稿搬送装置２からの出力信号で原稿読取装置４の駆動系電源制御回路３０４とロジック系電源制御回路３０６をオン、オフして原稿搬送装置２の駆動系電源及び原稿読取装置４のロジック系電源の供給を制御するようにしている。
【００８７】
このように原稿読取装置とＡＤＦのシステムを構成することによって、省エネモード時に原稿読取装置の駆動系電源とロジック系電源の全てをＯＦＦできるようになるため、システムとして消費電力を大幅に低減することが可能となる。
【００８８】
なお、上記各実施例では、原稿搬送装置と原稿読取装置について説明したが、画像形成装置から原稿読取装置及びＡＤＦに電源が供給されるシステム構成の場合は、駆動系電源制御回路またはロジック系電源制御回路を画像形成装置に設けて、原稿読取装置の駆動系電源及びロジック系電源、及びＡＤＦの駆動電源を制御することも可能である。この場合、上記実施例２〜３の原稿読取装置を画像形成装置に置き換えて構成すればよいので、詳細な説明は省略する。
【００８９】
さらに、実施例２、実施例３に示した実施の形態では、ＡＤＦのエンプティセンサの検出、給紙カバー開閉スイッチ及びＡＤＦ開閉スイッチの検出状態をＡＤＦに備えた制御部から原稿読取装置または画像形成装置に送信するようにしたが、エンプティセンサの検出、給紙カバー開閉スイッチ及びＡＤＦ開閉スイッチからの電気信号を原稿読取装置または画像形成装置の制御部に直接入力するようにし、原稿読取装置または画像形成装置の制御部から駆動系またはロジック系電源を制御してもよい。
【００９０】
この実施の形態では、原稿読取装置または画像形成装置のロジック系の回路に電源を供給しておき、ＡＤＦのロジック系の電源を切断することが可能となる。
【００９１】
このように本実施例では、省エネモードの動作中に給紙カバーの開閉を検出したならば、省エネモードを解除してＡＤＦの駆動用の電源を供給した後に、繰り出しローラを上昇するようにしたので、給紙トレイ上への原稿のセットが支障なくできる。
【図面の簡単な説明】
【００９２】
【図１】原稿読取装置を備える画像形成装置の断面図である。
【図２】原稿搬送装置の断面図である。
【図３】原稿搬送装置の給紙カバーを開いた状態図である。
【図４】原稿搬送装置の給紙駆動図である。
【図５】給紙カバーの回動による給紙駆動伝達の連結・解除の状態を示す図である。
【図６】制御ブロック図である。
【図７】省エネモードの起動動作を示すフローチャートである。
【図８】省エネモードの解除動作を示すフローチャートである。
【図９】第３の実施例の制御ブロック図である。
【図１０】第３の実施例の省エネモード起動動作を示すフローチャートである。
【図１１】第３の実施例の省エネモード解除動作を示すフローチャートある。
【図１２】第４の実施例の制御ブロック図である。
【符号の説明】
【００９３】
１  画像形成装置
２  原稿搬送装置
３  シート後処理装置
４  原稿読取装置
５  画像形成部
６  給紙部
１０a，１０b  第１、第２のプラテンガラス
１５  給紙トレイ
１８  繰り出しローラ
１９  給紙ローラ
２１  レジストローラ対
２２  搬入ローラ
２３  搬出ローラ
２４  排紙ローラ対
２５  給紙路
４１  給紙カバー
４１ｂ  突起
６１  感光体ドラム
Ｓ６  給紙カバー開閉スイッチ
【図１】
2005231873.tif 000003
【図２】
2005231873.tif 000004
【図３】
2005231873.tif 000005
【図４】
2005231873.tif 000006
【図５】
2005231873.tif 000007
【図６】
2005231873.tif 000008
【図７】
2005231873.tif 000009
【図８】
2005231873.tif 000010
【図９】
2005231873.tif 000011
【図１０】
2005231873.tif 000012
【図１１】
2005231873.tif 000013
【図１２】
2005231873.tif 000014